【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
（ａ）多層フィルムを含む支持部材であって、多層フィルムが、
（ｉ）加工デンプンを含む少なくとも１つのデンプン層と、
（ｉｉ）３８℃、９０％の相対湿度で測定される１ｇ．ｍｍ／ｍ２．２４ｈｒ．ａｔｍ未満の水蒸気透過係数を有する少なくとも１つの他の層と
を含み、少なくとも１つのデンプン層の全体の厚さが多層フィルムの全体の厚さの３０％より大きく、加工デンプンが１．５未満の置換度を有する、上記支持部材、及び
（ｂ）それにより食品が封入されるように支持部材に封止される蓋材フィルム
を含む食品パッケージ。
【請求項２】
少なくとも１つの他の層の水蒸気透過係数が０．５ｇ．ｍｍ／ｍ２．２４ｈｒ．ａｔｍ未満である、請求項１に記載のパッケージ。
【請求項３】
少なくとも１つの他の層の水蒸気透過係数が０．２ｇ．ｍｍ／ｍ２．２４ｈｒ．ａｔｍ未満である、請求項１に記載のパッケージ。
【請求項４】
少なくとも１つのデンプン層の全体の厚さが多層フィルムの全体の厚さの４０％より大きい、請求項１から３までのいずれか一項に記載のパッケージ。
【請求項５】
少なくとも１つのデンプン層の全体の厚さが多層フィルムの全体の厚さの５０％より大きい、請求項１から３までのいずれか一項に記載のパッケージ。
【請求項６】
少なくとも１つの他の層がポリオレフィン、ポリエチレンテレフタラート、ナイロン、ポリ塩化ビニル及びポリ二塩化ビニリデン又はそれらの混合物を含む、請求項１から５までのいずれか一項に記載のパッケージ。
【請求項７】
ポリオレフィンが、エチレンホモポリマー、プロピレンホモポリマー、エチレンとプロピレンとのインターポリマー及びエチレン又はプロピレンと１種若しくは複数のＣ４〜Ｃ１０α−オレフィンとのインターポリマー、環状オレフィンポリマー及びコポリマー、二軸延伸ポリプロピレン、化学的に変性させたポリオレフィン並びにそれらの混合物からなる群から選択される、請求項６に記載のパッケージ。
【請求項８】
ポリオレフィンが、高密度ポリエチレン、低密度ポリエチレン、直鎖状低密度ポリエチレン、ポリプロピレン、二軸延伸ポリプロピレン及びそれらの混合物からなる群から選択される、請求項６に記載のパッケージ。
【請求項９】
内側デンプン層及び２つの外側ポリオレフィン層を含む、請求項１から８までのいずれか一項に記載のパッケージ。
【請求項１０】
少なくとも１つのデンプン層が、接着剤により少なくとも１つの他の層に固定されている、請求項１から９までのいずれか一項に記載のパッケージ。
【請求項１１】
接着剤がポリウレタン及び／又はポリウレタン尿素を含む、請求項１０に記載のパッケージ。
【請求項１２】
フィルムが５０％ＲＨにおいて０．６ｃｍ３ｍｍ／ｍ２．２４ｈ．ａｔｍ未満の酸素透過係数（ＯＰＣ）を有する、請求項１から１１までのいずれか一項に記載のパッケージ。
【請求項１３】
フィルムが５０％ＲＨにおいて０．３ｃｍ３ｍｍ／ｍ２．２４ｈ．ａｔｍ未満の酸素透過係数（ＯＰＣ）を有する、請求項１か１１までのいずれか一項に記載のパッケージ。
【請求項１４】
フィルムが５０％ＲＨにおいて０．１ｃｍ３ｍｍ／ｍ２．２４ｈ．ａｔｍ未満の酸素透過係数（ＯＰＣ）を有する、請求項１か１１までのいずれか一項に記載のパッケージ。
【請求項１５】
フィルムが５０％ＲＨにおいて０．０５ｃｍ３ｍｍ／ｍ２．２４ｈ．ａｔｍ未満の酸素透過係数（ＯＰＣ）を有する、請求項１か１１までのいずれか一項に記載のパッケージ。
【請求項１６】
多層フィルムの全体の厚さが１０〜１０００μｍである、請求項１から１５までのいずれか一項に記載のパッケージ。
【請求項１７】
少なくとも１つのデンプン層が１００〜６００μｍの全体の厚さを有し、少なくとも１つの他の層が１０〜４００μｍの全体の厚さを有する、請求項１から１６までのいずれか一項に記載のパッケージ。
【請求項１８】
少なくとも１つのデンプン層が１０〜６０μｍの全体の厚さを有し、少なくとも１つの他の層が５〜４０μｍの全体の厚さを有する、請求項１から１６までのいずれか一項に記載のパッケージ。
【請求項１９】
加工デンプンが高アミロースデンプンを含む、請求項１から１８までのいずれか一項に記載のパッケージ。
【請求項２０】
加工デンプンが、エーテル及びエステル並びにそれらの混合物からなる群から選択される官能基でヒドロキシル官能基を置き換えるように化学的に変性されている、請求項１から１９までのいずれか一項に記載のパッケージ。
【請求項２１】
加工デンプンが、ヒドロキシアルキルＣ２−６基を含むように化学的に変性されている又はカルボン酸の無水物との反応により変性されている、請求項１から２０までのいずれか一項に記載のパッケージ。
【請求項２２】
少なくとも１つのデンプン層が少なくとも１種の水溶性ポリマーをさらに含む、請求項１から２１までのいずれか一項に記載のパッケージ。
【請求項２３】
少なくとも１種の水溶性ポリマーがポリビニルアルコール及びポリ酢酸ビニル並びにそれらの混合物からなる群から選択される、請求項２２に記載のパッケージ。
【請求項２４】
少なくとも１つのデンプン層が少なくとも１種の可塑剤をさらに含む、請求項１から２３までのいずれか一項に記載のパッケージ。
【請求項２５】
少なくとも１種の可塑剤が１種又は複数のポリオールを含む、請求項２４に記載のパッケージ。
【請求項２６】
少なくとも１つのデンプン層が１つ又は複数のナノ材料を含む、請求項１から２５までのいずれか一項に記載のパッケージ。
【請求項２７】
ナノ材料が粘土及び変性粘土を含む、請求項２６に記載のパッケージ。
【請求項２８】
変性粘土が疎水的に変性された層状ケイ酸塩粘土である、請求項２７に記載のパッケージ。
【請求項２９】
疎水的に変性された層状ケイ酸塩粘土が、極性置換基が結合されていない長鎖アルキル基を含む界面活性剤により変性された粘土である、請求項２８に記載のパッケージ。
【請求項３０】
蓋材フィルムが、多層フィルムよりも水分及び気体の両方について高い透過度を有する、請求項１から２９までのいずれか一項に記載のパッケージ。
【請求項３１】
蓋材フィルムが３８℃、９０％の相対湿度で測定される１ｇ．ｍｍ／ｍ２．２４ｈｒ．ａｔｍより大きい水蒸気透過係数を有する、請求項１から２９までのいずれか一項に記載のパッケージ。
【請求項３２】
蓋材フィルムが５０％ＲＨにおいて０．６ｃｍ３ｍｍ／ｍ２．２４ｈ．ａｔｍより大きい酸素透過係数（ＯＰＣ）を有する、請求項１から２９までのいずれか一項に記載のパッケージ。
【請求項３３】
食品を包装する方法であって、
ａ）請求項１から３２までのいずれか一項に記載の支持部材を準備するステップと、
ｂ）蓋材フィルムを準備するステップと、
ｃ）食品を支持部材にのせるステップと、
ｄ）蓋材フィルムを支持部材及び食品の上に広げるステップと、
ｅ）食品がそれにより封入されるように蓋材フィルムを支持部材に封止するステップと
を含む、上記方法。
【請求項３４】
１つ又は複数のステップが自動化されている、請求項３３に記載の方法。
【請求項３５】
支持部材を熱成形するステップを少なくとも含む、請求項３３に記載の方法。
【請求項３６】
食品が、赤肉、家禽、魚、加熱調理された野菜又は調理済みの穀類の粉である、請求項３３に記載の方法。